(57)【特許請求の範囲】
【請求項１】
本体と、該本体の上部を覆う外蓋と、前記本体内に着脱自在に収納される内鍋と、該内鍋の上部を覆い前記外蓋に設ける内蓋と、該内蓋を加熱し前記外蓋に設ける蓋加熱手段と
、前記外蓋の外装に設ける透明窓部を有するパネルと、前記外蓋と前記透明窓部を有するパネルとで形成する封止空間とを備え、前記封止空間は、前記外蓋の溝部にパッキンを介して前記パネルをシールすることで封止して形成されるものであり、前記透明窓部は内面側が曲面であり、前記透明窓部を平面状の第二透明窓部に固定することで、前記透明窓部と前記第二透明窓部の間に断面視で半球状の空気層を形成し、前記第二透明窓部は外周で接着されることを特徴とする炊飯器。
【請求項２】
請求項１記載の炊飯器において、前記第二透明窓は、PET樹脂又はPC樹脂のシートであ
ることを特徴とする炊飯器。
【請求項３】
請求項２記載の炊飯器において、前記第二透明窓の外周に接着手段を設け、前記パネルの前記透明窓部に貼り付けたことを特徴とする炊飯器。
【発明の詳細な説明】
【技術分野】
【０００１】
本発明は、外蓋のパネルに表示を透視する透明窓部を備える炊飯器に関する。
【背景技術】
【０００２】
従来から炊飯器の外蓋のパネルに設けた表示部を透視するパネル透明窓部が炊飯器内の湿度が上昇して結露する課題があった。その結露を防ぐために、特許文献１に示すように、外蓋内に配設される凹部内に外蓋外方より吸湿材を組み込まれて、凹部内を密閉空間とすべく、凹部を外方から覆う操作板を最後に取付けて、密閉空間の湿気を吸湿材が吸湿するものがある。
【０００３】
また、特許文献２に示すように、蓋体を構成する外蓋の表面に表示部分を通過して目視する表示部を有した表示部材を設け、外蓋と基板カバーの間に蒸気流から封止された空間を形成し、封止空間と外気を通気路であるチューブで結び、封止空間と外気の温度差が減少するものがある。
【先行技術文献】
【特許文献】
【０００４】
【特許文献１】特開２０００−２０１８１２号公報
【特許文献２】特開２０００−４１８３７号公報
【発明の概要】
【発明が解決しようとする課題】
【０００５】
上記した従来技術において、特許文献１に示すものは、吸湿材(乾燥剤)により常温では密閉空間(封止空間)内部の水分を吸湿し、湿度を下げることができるが、外蓋に蓋加熱手段であるヒータを備える炊飯器では、内蓋を加熱すると、外蓋内部が温度上昇する。そのため、密閉空間(封止空間)と、密閉空間(封止空間)に設けた吸湿材(乾燥剤)が温度上昇して吸湿材(乾燥剤)から密閉空間(封止空間)に放湿するため、湿度を下げ続けて維持することはできないという課題があった。
【０００６】
さらに、特許文献２に示すものは、通気路であるチューブは、封止空間が外気よりも温度が高くなると、封止空間の空気が膨張し圧力が高くなり、膨張した空気がチューブを通じて外気中に放出する。逆に、封止空間が外気よりも温度が低くなると封止空間の空気が収縮して圧力が低くなり、外気中からチューブを通じて空気が封止空間に流入する呼吸作用が働く。そのため、外気の湿度が高い環境で使用した場合には、外気の湿気を吸いこんでしまうという課題があった。
【課題を解決するための手段】
【０００７】
上記課題を解決するために、本体と、該本体の上部を覆う外蓋と、前記本体内に着脱自在に収納される内鍋と、該内鍋の上部を覆い前記外蓋に設ける内蓋と、該内蓋を加熱し前記外蓋に設ける蓋加熱手段と、前記外蓋の外装に設ける透明窓部を有するパネルと、前記外蓋と前記透明窓部を有するパネルとで形成する封止空間とを備え、前記封止空間は、前記外蓋の溝部にパッキンを介して前記パネルをシールすることで封止して形成されるものであり、前記透明窓部は内面側が曲面であり、前記透明窓部を平面状の第二透明窓部に固定することで、前記透明窓部と前記第二透明窓部の間に断面視で半球状の空気層を形成し、前記第二透明窓部は外周で接着される構成とした。
【発明の効果】
【０００８】
本発明によれば、パネルの透明窓部の内面側の結露を防止でき、透明窓部を透視する良好な視界を確保することができる。
【図面の簡単な説明】
【０００９】
【図１】一実施例の炊飯器の全体の縦断面図。
【図２】図１の要部拡大図。
【図３】一実施例の炊飯器の外蓋からパネルを外した斜視図。
【図４】同炊飯器のパネルへの第二透明窓の取付けを示す斜視図。
【図５】同炊飯器のパネルへの第二透明窓の取付け方法を示すパネル内側からみた斜視図。
【発明を実施するための形態】
【００１０】
以下、本発明の一実施例について、図１から図５を用いて詳細に説明する。
【００１１】
図１は一実施例の炊飯器の全体の縦断面図である。図２は図１の要部拡大図である。図３は、一実施例の炊飯器の外蓋からパネルを外した斜視図である。図４は、 同炊飯器のパネルへの第2透明窓の取付けを示す斜視図である。図５は、 同炊飯器のパネルへの第2透明窓の取付け方法を示すパネル内側からみた斜視図である。
【００１２】
本体１にはその本体１の上部開口を覆う外蓋２が開閉自在に支持される。３は、本体１に着脱自在に収納される内鍋である。内鍋３の上部開口を覆う内蓋４が外蓋２に着脱自在に取り付けられている。
【００１３】
外蓋２に、内蓋４を加熱する蓋加熱手段１０を備えている。蓋加熱手段１０は、内蓋４の上部に備える加熱板１０ａにコードヒータを張り付けて配置して構成するものである。
【００１４】
また、内蓋４には内鍋３から蒸気を排出する内蓋蒸気通路７が設けられている。外蓋２の後部には、本体１の蒸気を排出する外蓋蒸気通路８が設けられている。この内蓋蒸気通路７と外蓋蒸気通路８が繋がる流路の途中には、蒸気の通過を制限する制限手段９が設けられている。
【００１５】
制限手段９を動作して流路を閉成することにより、内鍋３の蒸気を閉じ込めて圧力を高め、流路を開成することにより、内鍋３から外蓋蒸気通路８へ蒸気を流すものである。
【００１６】
外蓋２には有底の仕切り部２ａを設けて、その仕切り部２ａの上端部２ｂに溝２ｃが設けられている。その溝２ｃにパッキン１６を挿入している。
【００１７】
パッキン１６は、断面が略Ｕ字状の形状で、略Ｕ字状の外側両面に抜け防止の凸状の糸リブ１６ａを設け、略Ｕ字状の凹部を上部溝１６ｂとしている。
【００１８】
仕切り部２ａの内部には、本体１の操作をするスイッチ部１２ｂと本体１の状態を表示する表示部１２ａを搭載した制御手段１２を配置する。
【００１９】
外蓋２の表面には、内部を見るためのシートから成る透明窓部１１aを有するパネル１１を備える。パネル１１は、意匠性部品であり光沢性の樹脂等で成形され、内面側１１ｃには立上げ部１１ｂを備える。パネル１１を外蓋２に取り付けたときに立上げ部１１ｂがパッキン１６の上部溝１６ｂに嵌合される。
【００２０】
そして、パッキン１６の上部溝１６ｂにパネル１１の立上げ部１１ｂを嵌めることで、パッキン１６の糸リブ１６ａが溝２ｃに当たって押し潰れてシールする。
【００２１】
パッキン１６をパネル１１で覆うことによって、外蓋２の仕切り部２ａとパネル１１との間にパッキン１６を挟んで仕切り部２ａとパネル１１で囲まれた封止空間１５を形成する。
【００２２】
透明窓部１１ａは制御手段１２に搭載された表示部１２ａを透視する位置に配置されている。
【００２３】
パネル１１の透明窓部１１ａの内面側１１ｃには、第二透明窓１３を設けて内部を封止して空気層１４を形成する。この空気層１４が第二の封止空間を形成している。この空気層１４は前記した封止空間１５の内部に設けられている。
【００２４】
透明窓部１１ａは、内面側１１ｃが凹む形状（例えば曲面）であれば平面状の第二透明窓１３を固定することで、図２に示すように断面視で半球状の空気層１４が形成される。また、透明窓部１１ａは内面側１１ｃが平面である場合には、透明窓部１１ａの内面側１１ｃに立上げ部（図示せず）を設け、この立ち上げ部に平面状の第二透明窓１３を固定することで、断面視で直方体状の空気層１４が形成される。
【００２５】
逆に、第二透明窓１３が上側に凹む形状（例えば曲面）で、断面視で半球状の空気層１４が形成される。
【００２６】
図２、４、５に示すものは、第二透明窓１３は、PET樹脂及びPC樹脂のシート１３ａである。PET樹脂及びPC樹脂のシート１３ａに接着するために端面部全周に接着手段である粘着剤１３ｂを設け、パネル１１の透明窓部１１ａに貼り付けたものである。接着手段の粘着剤１３ｂは、両面テープを用いることで接着時の乾燥時間を設ける必要もなく、また、両面テープのテープ基材自身が断熱材となり粘着剤１３ｂの部分での結露の発生もない。
【００２７】
以上の本実施例の構成において、その動作を説明する。
【００２８】
使用者が内鍋３に適量の米と水を入れ、外蓋２を閉めると、内鍋３の上部を内蓋４が塞ぎ、密閉した空間となる。使用者が操作をすると、炊飯が開始され内鍋３が加熱される。
【００２９】
やがて、内鍋３内が沸騰すると、蒸気（１００℃）が発生して圧力が高まり、タンク蒸気通路６から、内蓋４とタンク５で構成される空間に蒸気が侵入する。
【００３０】
さらに蒸気は内蓋蒸気通路７、制限手段９、外蓋蒸気通路８を経て外部へと放出される。炊飯終了後は自動で保温動作に移行し、蓋加熱手段１０が動作し、内蓋４を加熱するが、この蓋加熱手段１０の熱の影響で、外蓋２とパネル１１で形成される封止空間１５の温度は上昇していく。このときに封止空間１５と外気との温度差が大きくなっていく。そこで空気層１４が透明窓部１１ａを介して外気と接触する。その空気層１４の内部には、空気が入っているので空気の断熱効果により、透明窓部１１ａの内面側１１ｃの温度は空気層１４の温度と近づき、封止空間１５よりは低く外気に近い温度を維持でき、結露を防止する。
【００３１】
さらに、空気室１４の下面となる第二透明窓１３は、空気層１４と封止空間１５の間の温度差が緩和されていて結露しない。また、粘着剤１３ｂの部分においても使用する前記両面テープのテープ基材が断熱材の働きをするので接着剤１３ｂでの結露の発生もない。
【００３２】
以上の本実施例の構成によれば、保温時の蓋加熱手段１０からの熱の影響で封止空間１５の温度が上昇しても空気層１４の断熱効果で透明窓部１１ａの温度上昇を抑えることができ、外気との温度差を緩和することで結露を防止し、透明窓部１１ａの良好な視界を確保することができる。また、第二透明窓１３の取り付けは、粘着剤１３ｂによりPET樹脂又はPC樹脂のシート１３ａを貼っているのみであるため、余計な壁などの構造物を必要とせず、省スペースであり、複雑な金型構造も不要であり、作業性の良さも確保することができる。
【００３３】
また、第二透明窓１３の材質として、PET樹脂又はPC樹脂のシート１３ａを使用することで、取付け箇所であるパネル１１の透明窓部１１ａが複合Ｒからなる三次曲面であったとしても、PET樹脂又はPC樹脂のシート１３ａは肉厚が薄く柔軟であるため、そこに沿わせて取付けやすく、また、透明窓部１１ａを囲う形状の背の高い壁は不要となる。
【００３４】
尚、このPET樹脂又はPC樹脂のシート１３ａの取付け方法も例えばツメを設けて固定するとしても、金型構造上スライド機構が必要となる。しかし、パネル１１の透明窓部１１ａの周囲１１ｒはスイッチボタンが配置されていたりしてスペースがない。しかも、透明窓部１１ａ自体は外観上、スライド機構の入れコマの割り線などを付けることは通常は許容されない。よって、本実施例で説明した、粘着剤１３ｂを使用して取りつける方法によれば、前記の複雑な構造は不要とすることができる。
【符号の説明】
【００３５】
１  本体
２  外蓋
３  内鍋
４  内蓋
１０  蓋加熱手段
１１  パネル
１１ａ  透明窓部
１１ｃ内面側
１２  制御手段
１２ａ表示部
１３  第二透明窓
１３ａシート
１３ｂ  粘着剤
１４  空気層
１５  封止空間
１６  パッキン
【図１】
0006470076.tif 000002
【図２】
0006470076.tif 000003
【図３】
0006470076.tif 000004
【図４】
0006470076.tif 000005
【図５】
0006470076.tif 000006